(57)【特許請求の範囲】
【請求項１】
操作部と、操作部のセット操作に連動して移動する吸盤と、該吸盤と共動してスイッチ機構を開閉するカードと、該移動した吸盤を吸着保持する被吸着体と、吸盤が被吸着体から離れる方向に吸盤を付勢する復帰ばねと、スイッチ機構が電気的に接続される端子と、吸盤が被吸着体に吸着した状態において吸盤と被吸着体との間に形成される内部空間へ連通する空気流通経路に配設される空気透過部材と、被吸着体の吸盤が吸着される面と反対の面側に配設されるクッション部材とを備え、操作部によるセット解除操作時には、吸盤の被吸着体への吸着力と復帰ばねのばね力とのバランスにより吸盤が被吸着体から離れるまでに遅れ時間があることを特徴とする遅れスイッチ。
【請求項２】
吸盤は、ゴムにより形成されて成ることを特徴とする請求項１記載の遅れスイッチ。
【請求項３】
吸盤は、シリコンゴムにより形成されて成ることを特徴とする請求項１記載の遅れスイッチ。
【請求項４】
吸盤は、被吸着体に吸着する吸着面側が開口された形状であって、内周底面にフラット部が形成されて成ることを特徴とする請求項１記載の遅れスイッチ。
【請求項５】
吸盤に前記空気流通経路の少なくとも一部が形成され、吸盤内部に前記空気透過部材が配設されて成ることを特徴とする請求項１記載の遅れスイッチ。
【請求項６】
吸盤は、被吸着体と反対方向への吸盤の移動範囲を規制するためのストッパ部が形成されて成ることを特徴とする請求項１記載の遅れスイッチ。
【請求項７】
吸盤は、吸着面以外の部位にパーティングラインが設けられて成ることを特徴とする請求項１記載の遅れスイッチ。
【請求項８】
被吸着体は、金属により形成されて成ることを特徴とする請求項１乃至請求項７の何れか１項に記載の遅れスイッチ。
【請求項９】
被吸着体は、吸盤が吸着される面に低摩擦係数となるようなコーティングがされて成ることを特徴とする請求項１乃至請求項８の何れか１項に記載の遅れスイッチ。
【請求項１０】
被吸着体は、樹脂により形成されて成ることを特徴とする請求項１乃至請求項７の何れか１項に記載の遅れスイッチ。
【請求項１１】
被吸着体は、吸盤が吸着される領域よりも外側に空気通り穴が形成されて成ることを特徴とする請求項２乃至請求項１０の何れか１項に記載の遅れスイッチ。
【請求項１２】
前面側に復帰ばねが配置されるとともに後面が開口され少なくとも吸盤及び被吸着体を収納する素子用ケースを備え、素子用ケースと被吸着体とはクッション部材である弾性部材を介して結合されて成ることを特徴とする請求項１記載の遅れスイッチ。
【請求項１３】
素子用ケースの後面に結合される蓋を備えて成ることを特徴とする請求項１２記載の遅れスイッチ。
【請求項１４】
被吸着体の後面に前記クッション部材が配設されて成ることを特徴とする請求項１記載の遅れスイッチ。
【請求項１５】
クッション部材はコイルスプリングにより構成されて成ることを特徴とする請求項１４記載の遅れスイッチ。
【請求項１６】
空気透過部材は、セラミック多孔質体により形成されて成ることを特徴とする請求項５記載の遅れスイッチ。
【請求項１７】
空気透過部材は、アルミナセラミック多孔質体により形成されて成ることを特徴とする請求項５記載の遅れスイッチ。
【請求項１８】
多孔質体の孔径を略０．０１μｍ乃至略１μｍとしたことを特徴とする請求項１６又は請求項１７記載の遅れスイッチ。
【請求項１９】
空気透過部材は、端面が面取りされて成ることを特徴とする請求項５記載の遅れスイッチ。
【請求項２０】
空気透過部材は、円柱状に形成されて成ることを特徴とする請求項５記載の遅れスイッチ。
【請求項２１】
空気透過部材は、外周をゴムチューブによりシールされて成ることを特徴とする請求項２０記載の遅れスイッチ。
【請求項２２】
複数個の空気透過部材を備え、空気透過部材が略直線状に配設されて成ることを特徴とする請求項２１記載の遅れスイッチ。
【請求項２３】
吸盤は、空気透過部材の端面が密着するのを防止するためのテーパ部が形成されて成ることを特徴とする請求項５記載の遅れスイッチ。
【請求項２４】
復帰ばねは、コイルスプリングにより構成されて成ることを特徴とする請求項１記載の遅れスイッチ。
【請求項２５】
コイルスプリングは、端面が研磨されて成ることを特徴とする請求項２４記載の遅れスイッチ。
【請求項２６】
コイルスプリングは、ＳＵＳにより形成されて成ることを特徴とする請求項２４記載の遅れスイッチ。
【請求項２７】
素子用ケースは、復帰ばねの一端側を受けるばね受け部が形成されて成ることを特徴とする請求項１２又は請求項１３記載の遅れスイッチ。
【請求項２８】
カードは、復帰ばねの一端側を受ける凹形状のばね受け部が形成されて成ることを特徴とする請求項１記載の遅れスイッチ。
【請求項２９】
カードは、少なくとも一部が吸盤と一体成形されて成ることを特徴とする請求項１記載の遅れスイッチ。
【請求項３０】
カードは、カード部とシャフト部とで構成され、カード部の形状が略コ字形であって、カード部の両脚片が両脚片をガイドするガイド溝が形成された枠体によりガイドされることを特徴とする請求項１記載の遅れスイッチ。
【請求項３１】
カードは、難燃性熱可塑材料により形成されて成ることを特徴とする請求項１記載の遅れスイッチ。
【請求項３２】
カードはカード部とシャフト部とで構成され、カード部とシャフト部とを別部材にしたことを特徴とする請求項１記載の遅れスイッチ。
【請求項３３】
カード部とシャフト部とは熱圧着により固着されて成ることを特徴とする請求項３２記載の遅れスイッチ。
【請求項３４】
カードは、吸盤が被吸着体に吸着した状態において吸盤と被吸着体との間に形成される内部空間へ空気を取り込むための空気取込口が形成されて成ることを特徴とする請求項１記載の遅れスイッチ。
【請求項３５】
カードは、前記内部空間と空気取込口との間に防塵用のフィルタ部材が装着されて成ることを特徴とする請求項３４記載の遅れスイッチ。
【請求項３６】
操作部のセット操作に連動して回動しカードを移動させるアームを備えて成ることを特徴とする請求項１記載の遅れスイッチ。
【請求項３７】
操作部には、アームを押圧するアーム押圧部が複数形成されて成ることを特徴とする請求項３６記載の遅れスイッチ。
【請求項３８】
アームは、操作部のセット操作時に操作部のストローク途中でカードをカードのストローク終端まで押し込むことができる形状に形成されて成ることを特徴とする請求項３６又は請求項３７記載の遅れスイッチ。
【請求項３９】
操作部は、スイッチ機構を開閉するために起伏させる波動式であることを特徴とする請求項１記載の遅れスイッチ。
【請求項４０】
アームはカードを押圧する押圧部が複数形成されて成ることを特徴とする請求項３６又は請求項３７記載の遅れスイッチ。
【発明の詳細な説明】
【０００１】
【発明の属する技術分野】
本発明は、負荷を遅延動作させる遅れスイッチに関するものである。
【０００２】
【従来の技術】
この種の遅れスイッチは、例えばトイレの換気扇及び照明負荷の操作に用いるものが知られている（特開昭６１−５５８２５号公報参照）。この従来の遅れスイッチは、操作部たるハンドルの操作で換気扇と照明負荷とを夫々オンし、次の操作ハンドルの操作で照明負荷をオフし、換気扇を一定時間後にオフする制御機能を持つものである。
【０００３】
【発明が解決しようとする課題】
ところで、上記従来構成のものでは、上記一定時間を決める遅延ユニットの構造が複雑で製造コストが高い、ハンドルの操作に遅延ユニットのギアが連動するので操作感触が悪い、遅延ユニットの遅延機能による各種騒音が生じる、等の問題があった。
【０００４】
本発明は上記事由に鑑みて為されたものであり、その目的は、低コストで遅延動作の信頼性が高く騒音が小さな遅れスイッチを提供することにある。
【０００５】
【課題を解決するための手段】
請求項１の発明は、上記目的を達成するために、操作部と、操作部のセット操作に連動して移動する吸盤と、該吸盤と共動してスイッチ機構を開閉するカードと、該移動した吸盤を吸着保持する被吸着体と、吸盤が被吸着体から離れる方向に吸盤を付勢する復帰ばねと、スイッチ機構が電気的に接続される端子と、吸盤が被吸着体に吸着した状態において吸盤と被吸着体との間に形成される内部空間へ連通する空気流通経路に配設される空気透過部材と、被吸着体の吸盤が吸着される面と反対の面側に配設されるクッション部材とを備え、操作部によるセット解除操作時には、吸盤の被吸着体への吸着力と復帰ばねのばね力とのバランスにより吸盤が被吸着体から離れるまでに遅れ時間があることを特徴とするのであって、吸盤の被吸着体への吸着力と復帰ばねのばね力とのバランスにより遅れ時間が決まるから、従来のようなギアが不要となり、従来の遅延ユニットを有する遅れスイッチに比べて構成が簡単で信頼性が高く、低コスト化が図れるとともに、騒音が小さくなる。また、空気透過部材を備えていることにより、空気透過部材の材料やサイズを変えることにより遅れ時間を調整することができる。また、クッション部材を備えていることにより、吸盤が被吸着体に対して脱着する際の衝撃を和らげることができる。また、従来のようなギアが必要ないので、操作部の操作がスムーズになる。
【０００６】
請求項２の発明は、請求項１の発明において、吸盤がゴムにより形成されているので、吸盤の低コスト及び小型化が容易になる。
請求項３の発明は、請求項１の発明において、吸盤がシリコンゴムにより形成されているので、吸盤の低コスト及び小型化が容易になる。
請求項４の発明は、請求項１の発明において、吸盤は被吸着体に吸着する吸着面側が開口された形状であって、内周底面にフラット部が形成されているので、吸盤の被吸着体に吸着する際には吸着面が吸着した後にフラット部が吸着するようにでき、セット操作時に被吸着体に吸着する吸盤の押し込み量が安定し略一定の吸着力を得ることができるから、遅れ時間を略一定にすることができる。
【０００７】
請求項５の発明は、請求項１の発明において、吸盤に前記空気流通経路の一部が形成され、吸盤内部に前記空気透過部材が配設されているので、別途に透過部材を配設するためのスペースを確保する必要がない。
請求項６の発明は、請求項１の発明において、吸盤は、被吸着体と反対方向への吸盤の移動範囲を規制するストッパ部が形成されているので、ストッパ部によって吸盤の移動をストップさせることができる。
【０００８】
請求項７の発明は、請求項１の発明において、吸盤は、吸着面以外の部位にパーティングラインが設けられているので、被吸着体と安定した吸着状態を得ることができる。
請求項８の発明は、請求項１乃至請求項７の発明において、被吸着体が金属により形成されていることを特徴とし、例えばＳＵＳにより被吸着体を形成した場合には耐蝕性を高めることができる。
【０００９】
請求項９の発明は、請求項１乃至請求項８の発明において、被吸着体は、吸盤が吸着される面に低摩擦係数となるようなコーティングがされているので、吸盤が被吸着体から離れる際の摩擦を小さくでき、遅れ時間を安定させることができる。
請求項１０の発明は、請求項１乃至請求項７の発明において、被吸着体が樹脂により形成されているので、樹脂の材料を変えることにより遅れ時間を調整することができる。
【００１０】
請求項１１の発明は、請求項２乃至請求項１０の発明において、被吸着体は、吸盤が吸着される領域よりも外側に空気通り穴が形成されているので、吸盤の外側に形成される空間の空気を空気通り穴を通して流通させることができる。
請求項１２の発明は、請求項１の発明において、前面側に復帰ばねが配置されるとともに後面が開口され少なくとも吸盤及び被吸着体を収納する素子用ケースを備え、素子用ケースと被吸着体とはクッション部材である弾性部材を介して結合されているので、素子用ケースにより吸盤と被吸着体との間に塵や埃などの異物が侵入するのを抑制でき、また、吸盤が被吸着体に対して脱着する際の衝撃を和らげることができる。
【００１１】
請求項１３の発明は、請求項１２の発明において、素子用ケースの後面に結合される蓋を備えているので、吸盤、被吸着体、カード、復帰ばね、素子用ケースなどよりなる遅延素子をユニット化することが可能となる。
請求項１４の発明は、請求項１の発明において、被吸着体の後面に前記クッション部材が配設されているので、吸盤が被吸着体に対して脱着する際の衝撃を和らげることができる。
【００１２】
請求項１５の発明は、請求項１４の発明において、クッション部材はコイルスプリングにより構成されているので、クッション部材の低コスト化を図ることができる。
請求項１６の発明は、請求項５の発明において、空気透過部材がセラミック多孔質体により形成されているので、空気透過部材のサイズや孔径を変化させることによって遅れ時間を調整することができる。また、非多孔質体に比べて空気の透過係数の温度依存が小さいので、使用環境の温度変化による遅れ時間の変動を小さくでき、遅れ時間を高精度にすることができる。
【００１３】
請求項１７の発明は、請求項５の発明において、空気透過部材がアルミナセラミック多孔質体により形成されているので、空気透過部材のサイズや孔径を変化させることによって遅れ時間を調整することができる。また、非多孔質体に比べて空気の透過係数の温度依存が小さいので、使用環境の温度変化による遅れ時間の変動を小さくでき、遅れ時間を高精度にすることができる。
【００１４】
請求項１８の発明は、請求項１６又は請求項１７の発明において、多孔質体の孔径を略０．０１μｍ乃至略１μｍとしたことを特徴とする。
請求項１９の発明は、請求項５の発明において、空気透過部材は端面が面取りされているので、吸盤内部へ空気透過部材を挿入しやすくなる。
請求項２０の発明は、請求項５の発明において、空気透過部材は、円柱状に形成されているので、吸盤内部への空気透過部材の圧入が容易になる。
【００１５】
請求項２１の発明は、請求項２０の発明において、空気透過部材は外周をゴムチューブによりシールされているので、遅れ時間をより高精度に調整することができるとともに、ゴムチューブにより空気透過部材を保護することができる。
請求項２２の発明は、請求項２１の発明において、複数個の空気透過部材を備え、空気透過部材を略直線状に配設したので、空気透過部材の数を増やして空気透過部材の直線距離を長くすることにより遅れ時間を長くすることができ、また、１つの空気透過部材により直線距離を長くする場合に比べて１個の空気透過部材の長さを短くできるので、空気透過部材が破損しにくくなる。
【００１６】
請求項２３の発明は、請求項５の発明において、吸盤は、空気透過部材の端面が密着するのを防止するためのテーパ部が形成されているので、空気透過部材の端面に吸盤が密着しないようにすることができ、空気透過部材の端面の断面積によって遅れ時間を高精度に調整できる。
請求項２４の発明は、請求項１の発明において、復帰ばねが、コイルスプリングにより構成されているので、復帰ばねを低コスト化することができる。
【００１７】
請求項２５の発明は、請求項２４の発明において、コイルスプリングは、端面が研磨されているので、端面での他の部材との接触状態が安定する。
請求項２６の発明は、請求項２４の発明において、コイルスプリングが、ＳＵＳにより形成されているので、コイルスプリングの耐蝕性を高めることができる。
【００１８】
請求項２７の発明は、請求項１２又は請求項１３の発明において、素子用ケースは、復帰ばねの一端側を受けるばね受け部が形成されているので、素子用ケースにより復帰ばねの一端側を受けることができる。
請求項２８の発明は、請求項１の発明において、カードは、復帰ばねの一端側を受ける凹形状のばね受け部が形成されているので、カードにより復帰ばねの一端側を受けることができる。
【００１９】
請求項２９の発明は、請求項１の発明において、カードは、少なくとも一部が吸盤と一体成形されているので、組み立て作業が容易になる。
請求項３０の発明は、請求項１の発明において、カードは、カード部とシャフト部とで構成され、カード部の形状が略コ字形であって、カード部の両脚片が両脚片をガイドするガイド溝が形成された枠体によりガイドされるので、カードを安定して移動させることができる。
【００２０】
請求項３１の発明は、請求項１の発明において、カードが難燃性熱可塑材料により形成されているので、安全性を高めることができる。
請求項３２の発明は、請求項１の発明において、カードはカード部とシャフト部とで構成され、カード部とシャフト部とを別部材にしたので、カードの形状制御が容易になる。
【００２１】
請求項３３の発明は、請求項３２の発明において、カード部とシャフト部とは熱圧着により固着されているので、カード部とシャフト部とを確実に結合することができる。
請求項３４の発明は、請求項１の発明において、カードは、吸盤が被吸着体に吸着した状態において吸盤と被吸着体との間に形成される内部空間へ空気を取り込むための空気取込口が形成されているので、空気取込口の大きさや形状を変えることにより遅れ時間を調整することができる。
【００２２】
請求項３５の発明は、請求項３４の発明において、カードは、前記内部空間と空気取込口との間に防塵用のフィルタ部材が装着されているので、吸盤と被吸着体との間に塵や埃などの異物が侵入するのを防ぐことができ、遅れ時間を略一定にすることができる。
請求項３６の発明は、請求項１の発明において、操作部のセット操作に連動して回動しカードを移動させるアームを備えているので、セット操作による力をアームを介してカードに伝達でき、カードを安定して駆動することができる。
【００２３】
請求項３７の発明は、請求項３６の発明において、操作部には、アームを押圧するアーム押圧部が複数形成されているので、操作部の操作力をより安定してアームに伝達することができる。
請求項３８の発明は、請求項３６又は請求項３７の発明において、アームは、操作部のセット操作時に操作部のストローク途中でカードをカードのストローク終端まで押し込むことができる形状に形成されているので、セット操作時に吸盤を被吸着体に確実に略一定の力で吸着させることができるから、遅れ時間を略一定にすることができる。
【００２４】
請求項３９の発明は、請求項１の発明において、操作部は、スイッチ機構を開閉するために起伏させる波動式なので、セット解除操作時に遅れ時間がある波動式スイッチを構成することができる。
請求項４０の発明は、請求項３６又は請求項３７の発明において、アームはカードを押圧する押圧部が複数形成されているので、より安定してカードを駆動することができる。
【００２５】
【発明の実施の形態】
（実施形態１）
以下、本発明の一実施形態を図１乃至図１８を参照しながら説明する。
本実施形態の遅れスイッチのケース１は、図１乃至図４に示すように、合成樹脂製のボディ１０と、合成樹脂製のカバーとを一対の略コ字形の組立枠４０にて結合して形成される。
【００２６】
図４に示すように、カバー８０の両端部にはそれぞれ肩部８０ｂが突設され、各肩部８０ｂそれぞれの側面には組立枠４０の脚片４０ｄが嵌め込まれる凹部８０ｃが形成されている。一方、ボディ１０の前端側には、上記凹部８０ｃに対応する部位に、組立枠４０の脚片４０ｄが嵌め込まれる凹部１８が形成されている。したがって、ボディ１０にカバー８０を結合するときには、カバー８０の各肩部８０ｂの前面側からそれぞれ組立枠４０を嵌合し（組立枠４０の脚片４０ｄをカバー８０の凹部８０ｃとボディ１０の凹部１８とに嵌め込み）、この組立枠４０の両脚片４０ｄの先端部に形成された略Ｖ字形の引掛爪４０ａをそれぞれボディ１０の側面に形成された段部１５に係合させることによって、カバー８０とボディ１０とが組立枠４０により固定される。
【００２７】
ここで、ケース１は、ＪＩＳ規格で規格化されている大角形連用配線器具の取付枠に最大３個まで取り付けることができる配線器具の１個分の寸法に形成されており、上記取付枠に設けられた取付孔に係合可能な一対の係合爪４０ｂが組立枠４０の両端部から突設されている。また、各組立枠４０には、金属製の取付枠に取り付ける際に取付枠の係止爪が係止される係止孔４０ｃが設けてある。すなわち、ケース１は、埋込型の配線器具用の取付枠に該取付枠の開口窓からケース１の前面が露出する形で最大３個まで連設して取り付けることができるように寸法設定された単位寸法の埋込型の配線器具の１個分に相当する寸法に形成されている。
【００２８】
カバー８０は操作用のハンドル９０の一部がケース１の前面から突出するような形でハンドル９０を収納する開口部８１が形成されており、カバー８０の内側面には、ハンドル９０の両側面に突設された凸部９５が係合される凹部８２が形成されている。したがって、ハンドル９０を開口部８１に収納する時にハンドル９０の両側面の凸部９５をカバー８０の凹部８２にそれぞれ挿入係合することによって、カバー８０の凹部８２がハンドル９０の揺動支点となる。
【００２９】
一方、ハンドル９０の後面の側端部からは、略三角形の一対のガイド片９０ａ（図１（ｂ）、図２（ｂ）、図３、図４参照）が突設され、また、ハンドル９０はガイド片９０ａよりも内側の部位でハンドル９０の後面よりも後方に突出する略三角形の一対のアーム押圧片９０ｂ（図１（ｂ）、図２（ｂ）参照）を備えている。ここに、一対のアーム押圧片９０ｂそれぞれの先端部は後述の略コ字形のアーム５０の両脚片の前面側にぞれぞれ形成された湾曲部５０ａに係脱するようになっている。また、ハンドル９０の前部には、透明なネームカバー９３が嵌着される。なお、ネームカバー９３とハンドル９０との間にはネームシート９４が挟持される。
【００３０】
ハンドル９０の前面には透光窓９１が形成され、透光窓９１には透光性を有する材料により形成された透光部材９２が取り付けられている。なお、ネームシート９４には、ハンドル９０の透光窓９１に対向する部位に孔９４ａを設けてある。
ところで、ハンドル９０の後面側にはコイルスプリング９６の一端側が嵌め込まれる凹部９７（図１（ｂ），図２（ｂ）参照）が形成されており、コイルスプリング９６の他端側は揺動体７３のばね支持部７５で受けられている。揺動体７３はコイルスプリング９６の働きでハンドル９０の傾斜方向と逆方向に傾くようになっていて、ハンドル９０の揺動終点でコイルスプリング９６が、く字形または逆く字形に屈曲させられ、コイルスプリング９６が真っ直ぐな状態に戻ろうとする復元力によってハンドル９０がその位置で確実に固定されるようになっている。つまり、ハンドル９０はケース１の前面に対して起伏する波動式となっている。
【００３１】
ボディ１０は、図４に示すように、略中央に遅延素子収納部１２が形成され、遅延素子収納部１２の両側に端子収納部１３，１４が形成されている。遅延素子収納部１２には遅延素子２０が収納され、端子収納部１４には後述の端子６０１  ，６０２  が収納され、端子収納部１３には後述の端子６０３  ，６０４  が収納される。また、ボディ１０の前端部には、上述のアーム５０の基端部５０ｂ（図５参照）の両側面から突設され回転軸５１が軸着される軸受部５５が突設されている。ここに、軸受部５５には回転軸５１を回動自在に保持する溝５５ａが形成されており、アーム５０を回動自在としている。
【００３２】
以下、遅延素子２０について説明する。
遅延素子２０は、図６及び図７に示すように、略コ字形のカード部２６と、カード部２６の移動時にカード部２６の両脚片をガイドするガイド溝２１ｂ（図７に示すリブ２１ａとリブ２１ａ’との間の溝）が形成された枠体２１と、カード部２６を前方（図６の上方へ）付勢するコイルスプリングよりなるＳＵＳ製の復帰ばね２７と、シリコンゴムにより形成され弾性的に撓むことができるようになっている吸盤２３と、吸盤２３の吸着部２３ｂの吸着面４３（図８参照）が吸着される矩形板状のＳＵＳ製の被吸着体２４と、後面開口した箱状であって吸盤２３及び被吸着体２４が収納される素子用ケース２２と、中央が開口され素子用ケース２２の後面開口部に結合される外形が略矩形で中央が開口された防塵用のフィルタ２５と、被吸着体２４の後面の略中央に形成された円環状のばね受け溝２４ａ（図７参照）に一端側が嵌め込まれるコイルスプリングよりなるクッション部材２８とを備えている。
【００３３】
なお、本実施形態では吸盤２３をシリコンゴムにより形成しているので、吸盤２３の低コスト化が可能であり、吸盤２３の形状制御も容易で小型化も可能になる。吸盤２３の材料はシリコンゴムに限定するものではなく、例えば、ゴム、塩化ビニル、フッソゴム、ＥＰＤＭ、ＮＢＲなどを用いてもよい。また、吸盤２３は、図８に示すように、吸着面４３以外の部位に破線で示すパーティングライン４７が設けられているので、被吸着体２４と安定した吸着状態を得ることができる。
【００３４】
吸盤２３には、図９に示すように、上述のカード部２６とともにカード６を構成する円筒状のシャフト部２３ｄが吸盤本体２３ａの底面から一体に突設されている。シャフト部２３ｄは、外周に長手方向と略平行する一対の棒状の固定部２３ｅが形成されており、シャフト部２３ｄをカード部２６に結合するには、シャフト部２３ｄを素子用ケース２２の前面に形成された挿通孔２２ｅに後方から挿通させ、両固定部２３ｅそれぞれの先端部をカード部２６の基端部２６ｆにおいてカード部材部２６ｃの両側に穿孔された挿通孔２６ｄに挿入して熱圧着などにより固着すればよい（図３参照）。なお、吸盤２３は、吸盤本体２３ａの前端部に鍔部２３ｃが形成されており、鍔部２３ｃが素子用ケース２２に対して固着される。また、吸盤２３は吸着部２３ｂが吸着面４３側が開口された形状であって内周底面にフラットなフラット部２３ｊ（図９参照）が形成されているので、吸盤２３が被吸着体２４の方向へ押し込まれた際の押し込み量が安定する。また、吸盤２３の被吸着体２４と反対方向への移動は吸盤２３に形勢されたストッパ部２３ｋ（図１（ｂ），図２（ｂ）参照）が素子用ケース２２の挿通孔２２ｅの周縁に当接することにより規制される。
【００３５】
本実施形態では、カード部２６とシャフト部２３ｄとでカード６を構成している。したがって、カード６の移動に応じて吸盤２３の形状が変化する（図１（ｂ）及び図２（ｂ）参照）。なお、カード部２６は難燃性熱可塑材料（例えば、ＰＢＴなど）により形成してあるので、熱や火などに対する安全性を高めることができる。
【００３６】
ところで、カード部２６の基端部２６ｆの後部には、カード部２６とシャフト部２３ｄとを結合した状態でシャフト部２３ｄの内部空間２３ｆとカード６の外部との間の空気の通路を構成する切欠き部よりなる空気取込口２６ｅが形成されている。また、吸盤２３は、吸着部２３ｂの内周底面に上記シャフト部２３ｄの内部空間２３ｆと連通する通気孔２３ｇが形成されており、吸着部２３ｂの内部空間と上記空気取込口２６ｅとの間が連通するようになっている。ここに、本実施形態では、シャフト部２３ｄの内部空間２３ｆに、例えばセラミック多孔質体（例えば、アルミナセラミック多孔質体）よりなる空気透過部材３２（図１（ｂ）参照）が配設され、さらに、空気透過部材３２の前方に防塵用のフィルタ３１が配設されている。ここに、空気透過部材３２は図１０に示すように円柱状であって、図１１に示すように外周をゴムチューブ３３によりシールしたものがシャフト部２３ｄの内部空間２３ｆに圧入などによって配設される（図１（ｂ）参照）。また、複数の空気透過部材３２（図１２に示す例では２つの空気透過部材３２）を直線状に配設して外周をゴムチューブ３３によりシールしたものを用いれば後述の遅れ時間を長くすることも可能となる。また、本実施形態では図１３に示すように、吸盤２３の通気孔２３ｇが形成された面には空気透過部材３２の端面が密着しないようにテーパ面２３ｈが形成してある。また、空気透過部材３２の形状は図１４に示すような柱状に形成してもよく、この場合は、端面を面取りして面取部３２ａを形成すれば、シャフト部２３ｄの内部空間２３ｆへの圧入も容易になる。なお、空気透過部材３２を構成している多孔質体の孔径は略０．０１μｍ乃至略１μｍとすることが望ましい。
【００３７】
素子用ケース２２の前面には、図６に示すように、上記挿通孔２２ｅの周辺に復帰ばね２７の一端部が嵌め込まれるばね受け溝２２ｂが形成されている。一方、カード部２６の基端部２６ｆの後面には略凹形の一対のばね受け溝２６ｂ（図７及び図９参照）が形成されていて、復帰ばね２７の他端部を保持するようになっている。なお、復帰ばね２７は端面を研磨してあるので、ばね受け溝２２ｂ、ばね受け溝２６ｂそれぞれにおける接触状態が安定する。
【００３８】
被吸着体２４は、例えば金属製（例えばＳＵＳ製）であって、上記クッション部材２８のばね力によって前方（図１（ｂ）における上方）へ付勢されており、素子用ケース２２の内周壁に形成された移動規制用の段部２２ｃ（図１（ｂ）参照）とフィルタ２５の前面との間で前後方向（図１（ｂ）、図２（ｂ）における上下方向）への移動が可能となっている。なお、本実施形態では、図１５に示すように、被吸着体２４は吸盤２３と対向する側の面に低摩擦係数のコーティング層２４ｂ（例えば、テフロンコーティング層）が形成してあるので、吸盤２３が被吸着体２４から離れる際の摩擦を小さくでき、後述の遅れ時間を安定させることができる。また、被吸着体２４は、吸盤２３が吸着される領域よりも外側に空気通り穴９が形成されているので、吸着部２３ｂの移動により生じる素子用ケース２２内の体積変化による空気の流通を上記空気通り穴９を通して行うことができる。なお、被吸着体２４は、金属製に限定するものではなく、樹脂（例えば、テフロン樹脂、ポリアセタール樹脂）などにより形成してもよい。
【００３９】
ところで、遅延素子２０は、吸着部２３ｂが被吸着体２４に吸着した状態で吸着部２３ｂと被吸着体２４との間に形成される空間に、上記空気取込口２６ｅからシャフト部２３ｄの内部空間２３ｆに入り込む空気が防塵用のフィルタ３１及び空気透過部材３２を通じて吸盤２３の通気孔２３ｇから入り込むようになっている。したがって、アーム５０（図１６参照）の両脚片の先端のカード押圧部５２がカード部２６の両脚片の先端の被押圧部２６ａから離れると、吸着部２３ｂの被吸着体２４への吸着力が徐々に弱くなり、この吸着力が復帰ばね２７の復元力よりも弱くなって吸盤２３が被吸着体２４から離れるのである。
【００４０】
すなわち、アーム押圧片９０ｂの先端部がアーム５０の湾曲部５０ａの内周面に沿って湾曲部５０ａから脱するように移動して、アーム５０のカード押圧部５２がカード部２６の被押圧部２６ａを離れた時点から所定時間（以下、遅れ時間と称す）遅れてカード６が前方（図２（ｂ）における上方）へ移動するのである。したがって、上述の空気透過部材３２の空気の透過率や、吸盤２３の材料や、被吸着体２４の材料等を変えることで遅れ時間を調整することができるのである。
【００４１】
ここで、アーム５０は、図１６に示すような両脚片に湾曲部５０ａを有するような形状に形成することによって、図１７に示すように、後述のオフ操作時に操作部たるハンドル９０のストローク途中で、遅延素子２０を構成するカード６をカード６のストローク終端まで押し込むことができるようになっている。したがって、オフ操作時に吸盤２３を被吸着体２４に確実に略一定の力で吸着させることができる。また、アーム５０の形状は図１６の形状に限定するものではなく、例えば、図１８に示すように両脚片の先端のカード押圧部５２の厚みを薄くしてカード押圧部５２に弾性をもたせるようにしてもよい。
【００４２】
なお、本実施形態では、空気透過部材３２をセラミック多孔質体などの多孔質体により構成してあり、空気の透過係数の温度依存が小さいので、使用環境の温度変化による遅れ時間の変動を小さくでき、遅れ時間を高精度にすることができる。
ところで、本実施形態では、吸盤本体２３ａによって吸着部２３ｂと素子用ケース２２の外側とが仕切され、さらに、空気透過部材３２の前方に防塵用のフィルタ３１（空気フィルタ）が配設されているので、吸着部２３ｂと被吸着体２４との間に塵等の異物が侵入するのを防ぐことができ、吸着部２３ｂと被吸着体２４との吸着状態が安定し、遅れ時間を略一定にすることができる。ここに、防塵用のフィルタ３１は、例えば発泡ポリエステルなどの発泡性材料や繊維材料により形成してあり、フィルタ３１の形状制御が容易でフィルタ３１を小型化できるとともに低コスト化することができる。
【００４３】
枠体２１は、例えば難燃性熱可塑材料などにより構成され、図５に示すように、両側面それぞれに前端から後端にわたってボディ１０に対する位置決め用突部２１ｃ，２１ｄ，２１ｃ’が一体に突設されている。一方、ボディ１０は、図４に示すように、遅延素子収納部１２の内側面に、上記位置決め用突部２１ｃ，２１ｄ，２１ｃ’をガイドする位置決め溝１６ａ，１６ｂ，１６ａ’が形成されている。
【００４４】
また、枠体２１は、上述のように内側面にカード部２６の両脚片をスライド自在にガイドするガイド溝２１ｂが形成されており、遅延素子２０を組み立てた状態ではカード部２６の両脚片の先端の被押圧部２６ａ，２６ａが枠体２１の前面よりも突出するようになっている。本実施形態では、枠体２１を例えば熱硬化性樹脂により形成することによって、端子６０１  〜６０４  からの熱が遅延素子２０の他の構成要素に伝達しにくくなっている。また、本実施形態では、枠体２１が存在することによって端子６０１  〜６０４  側からの力が上記他の構成要素に加わりにくくなっており、動作の信頼性が高い。
【００４５】
ところで、上述の端子収納部１４には速結端子よりなる上述の端子６０１  ，６０２  （図４参照）が納装されている。ここに、端子６０１  は、端子板６３ａと鎖錠ばね６１とで構成され、鎖錠ばね６１は、端子板６３ａと鎖錠ばね６１との間に電線挿入口１７１  （図２（ｃ）参照）に挿入された電線に食い込んで抜け止めをする鎖錠片６１ｂと、電線に弾接する接触片６１ａとを備えている。したがって、電線挿入口１７１  を通して鎖錠ばね６１と端子板６３ａとの間に、鎖錠片６１ｂ側から電線を挿入すると、接触片６１ａ及び鎖錠片６１ｂのばね力によって電線が端子板６３ａとの間に挟持され、かつ鎖錠片６１ｂが電線に食い込むことによって電線を引き抜くことができなくなる。同様に端子６０２  は端子板６３ｂと鎖錠ばね６１とで構成され、電線挿入口１７２  （図２（ｃ）参照）に挿入された電線が接触片６１ａ及び鎖錠片６１ｂのばね力によって端子板６３ａとの間に挟持される。また、端子収納部１４には、両鎖錠ばね６１に跨がるように解除釦６２ａが配設される。解除釦６２ａは両鎖錠ばね６１の鎖錠片６１ｂに当接しており、解除釦６２ａが鎖錠片６１ｂに当接する部位は鎖錠片６１ｂ，６１ｂが端子板６３ａ，６３ｂとの間に電線を挟持する部位からずれている。また、解除釦６２ａに対応する部位でボディ１０の後壁には操作孔１９（図２（ｂ），（ｃ）参照）が形成されており、操作孔１９にマイナスドライバの先端などを挿入して解除釦６２ａを押すことにより、電線に食い込んでいる鎖錠片６１ｂ，６１ｂを電線から圧接解除方向に撓ませて電線の引き抜きが可能となるようにしてある。
【００４６】
一方、端子収納部１３には、端子板６３ｃと一対の鎖錠ばね６１とで構成される速結端子よりなる一対の端子６０３  ，６０４  （図４参照）が納装されている。すなわち、端子６０３  ，６０４  は端子板６３ｃを共通としている。ここに、端子６０３  は電線挿入口１７３  （図２（ｃ）参照）に挿入された電線が鎖錠ばね６１の接触片６１ａ及び鎖錠片６１ｂのばね力によって端子板６３ｃとの間に挟持され、端子６０４  は電線挿入口１７４  （図２（ｃ）参照）に挿入された電線が鎖錠ばね６１の接触片６１ａ及び鎖錠片６１ｂのばね力によって端子板６３ｃとの間に挟持される。また、端子収納部１３には、端子収納部１４と同様に両鎖錠ばね６１に跨がるように解除釦６２ｂが配設され、ボディ１０の後壁には操作孔１９（図２（ｂ），（ｃ）参照）が形成されている。
【００４７】
本実施形態では、端子収納部１４と端子収納部１３とがケース１の両端部側に設けられ離れているので、端子６０１  ，６０２  と端子６０３  ，６０４  との間の絶縁性を高めることができる。
上述の端子板６３ａ，６３ｂは、それぞれ別の固定接点６４ａ，６４ｂを有し、ケース１内において異なるスイッチ機構を形成している。なお、上述の接触ばね７０は遅延素子２０がない状態では可動接点７２が端子板６３ａの固定接点６４ａに接触し所定の接点圧が得られるように付勢されている。
【００４８】
ただし、接触ばね７０は、遅延素子２０のカード部２６のカード部材部２６ｃの前方を通るように端子板６３ｃから延出されているので、接触ばね７０がカード６のカード部材部２６ｃにより前方に押し上げられた状態では、可動接点７２が端子板６３ａの固定接点６４ａから離れるようになっている。ここで、接触ばね７０、可動接点７２、固定接点６４ａで１つのスイッチ機構（遅れスイッチ機構）を構成している。
【００４９】
また、端子板６３ｃの基部６３ｃ１  （図１（ｂ）参照）の前端部からは図４に示すようにリード板６５が一体に延出されており、リード板６５の先端に形成された凸状部６６の両側部の立ち上がり部６６ａに揺動体７３の切欠き７３ａが係合し、この凸状部６６を支点として、揺動体７３が揺動自在となっており、ハンドル９０の操作に応じて、揺動体７３先端の後面に形成された可動接点７４と端子板６３ｂの固定接点６４ｂとが接離するようになっている。ここに、リード板６５は枠体２１の前部に形成された一対の支持片２１ｅ（支持部）により支持されて位置決めがなされ、一対の支持片２１ｅによりリード板６５にかかる荷重を受けるようになっている。
【００５０】
端子板６３ａは、固定接点６４ａが設けられた部位の一部が枠体２１に形成された切欠部２１ｆにより支持されて位置決めなされ、接触ばね７０は、枠体２１の前部に形成された一対の支持片２１ｅの間の空間で可動して可動接点７２が固定接点６４ａと接離するようになっている。
ところで、本実施形態では、枠体２１が難燃性熱可塑性材料などにより形成されているので、枠体２１が燃焼しにくく安全性を高めることができ、また、各端子６０１  〜６０４  側から遅延素子２０を構成する材料への熱が伝わりにくくなり、遅延素子２０の動作の信頼性を高めることができる。
【００５１】
なお、図４に示すように、端子板６３ａと、端子板６３ｃに一体成形されたリード板６５とには、それぞれ前部にネオンランプ等の発光素子７７のリード線７８を半田付けするための穴６５ａ，６５ｃが形成されており、端子板６３ａと端子板６３ｃとの間に発光素子７７が接続される。したがって、この発光素子７７は固定設定６４ａに可動接点７２が接触していない状態で点灯するようになっている。また、発光素子７７はハンドル９０の透光窓９１に対向する位置に配設され、透光部材９２を通じて外部へ光が照射されるようになっている。したがって、本実施形態の遅れスイッチでは、夜などで周囲が暗い場合であっても、発光素子７７の光によってケース１の位置を確認できるようになっている。
【００５２】
図１は本実施形態の遅れスイッチのオフ状態を示し、この状態で操作部たるハンドル９０をオン操作（セット操作）すると、ハンドル９０のアーム押圧片９０ｂが回動し、アーム押圧片９０ｂの先端部がアーム５０の湾曲部５０ａに沿って移動する。しかして、ハンドル９０をオン操作すると、コイルスプリング９６が逆方向に傾くことによって図２に示すように揺動体７３に設けられた可動接点７４が端子板６３ｂの固定接点６４ｂと接触してこの電路がオン状態になるとともに、アーム押圧片９０ｂが回動することによってアーム５０が回動してアーム５０の先端のカード押圧部５２がカード部２６の被押圧部２６ａを押し、復帰ばね２７の付勢力に抗してカード６が移動し（図１における下方へ押し下げられ）、接触ばね７０の可動接点７２が端子板６３ａの固定接点６４ａに接触してこの電路がオン状態になるのである。また、カード６が移動することにより、吸盤２３が被吸着体２４に接する位置まで押し下げられて吸盤２３が被吸着体２４に吸着し、カード６が押し下げられている状態では、吸盤２３が被吸着体２４に吸着保持される。
【００５３】
一方、図２の状態でハンドル９０をオフ操作（セット解除操作）すると、アーム押圧片９０ｂの先端部がアーム５０の湾曲部５０ａに沿って湾曲部５０ａから脱するように移動することによりアーム５０が回動し、アーム５０のカード押圧部５２がカード部２６の被押圧部２６ａから離れるように移動する。しかして、ハンドル９０をオフ操作すると、コイルスプリング９６が逆方向に傾くことによって図１に示すように揺動体７３に設けられた可動接点７４が端子板６３ｂの固定接点６４ｂから開離して、上述の遅れ時間が経過すると、復帰ばね２７の復元力によってカード６が前方へ移動しカード部材部２６ｃが接触ばね７０を前方へ押すので、可動接点７２が固定接点６４ａから開離されこの電路（スイッチ機構）もオフ状態になる。
【００５４】
しかして、本実施形態の遅れスイッチでは、ハンドル９０によるセット解除操作時には、吸盤２３の被吸着体２４への吸着力と復帰ばね２７のばね力とのバランスにより吸盤２３が被吸着体２４から離れるまでに遅れ時間があるので、従来のようなギアが不要となり、従来の遅延ユニットを有する遅れスイッチに比べて構成が簡単で信頼性が高く、低コスト化が図れるとともに、騒音が小さくなる。
【００５５】
本実施形態の遅れスイッチを例えばトイレの換気扇及び照明負荷の操作に用いる場合、端子６０３  と端子６０４  とは共通の端子板６３ｃを有しているので、端子６０２  に照明負荷を接続し、端子６０１  に換気扇を接続すればよい。この場合、ハンドル９０をオン操作（セット操作）すると、照明負荷が点灯するとともに換気扇が運転され、ハンドル９０をオフ操作（セット解除操作）すると、照明負荷だけ直ちに消灯され、遅れ時間の経過後に換気扇が停止される。したがって、換気扇を直ちに止めたときに生じる不便をなくし、しかも換気扇の消し忘れを防止することができる。なお、この遅れスイッチは、トイレ以外の種々の場所での使用も可能である。また、遅れ時間は、使用環境や使用目的に合わせて適宜設定すればよい。
【００５６】
（実施形態２）
図１９乃至図２１に示す本実施形態の遅れスイッチの基本構成及び基本動作は実施形態１と略同じであり、スイッチ機構を遅延素子２０に関係する１つだけにした点が相違するだけである。したがって、本実施形態では、実施形態１で説明した揺動体７３、固定接点６４ｂなどを省いてある。
【００５７】
なお、実施形態１と同様の構成要素には同一の符号を付し説明を省略する。
本実施形態の遅れスイッチを例えば玄関などにおける照明負荷の操作に用いる場合には、ハンドル９０をオン操作（セット操作）すると、照明負荷が点灯し、ハンドル９０をオフ操作（セット解除操作）すると、遅れ時間の経過後に照明負荷が消灯される。したがって、例えば外出時や帰宅時に照明負荷を点灯させた後にハンドル９０をオフ操作した場合、照明負荷が消灯されるまでに遅れ時間があるので、人が玄関から離れる前に照明負荷が消灯されてしまうような不都合をなくすことができる。
【００５８】
（実施形態３）
本実施形態の基本構成及び基本動作は実施形態１と略同じであって、図２２に示すように、後面開口した素子用ケース２２の開口部を覆う蓋３０を素子用ケース２２に結合して遅延素子２０をユニット化している点が相違する。また、本実施形態では、蓋３０と被吸着体２４との間に弾性部材３６を介在させている。つまり、本実施形態では、実施形態１で説明したクッション部材２８の替わりに弾性部材３６を用いている。
【００５９】
（実施形態４）
本実施形態の基本構成及び基本動作は実施形態１と略同じであって、吸盤２３とカード６とを別体にしている点が相違する。本実施形態では、図２３及び図２４に示すようにカード６のシャフト部２３ｄを円柱状とし、シャフト部２３ｄの先端の圧入部４５を吸盤２３の吸盤本体２３ａに形成された凹部よりなる固定部２３ｉに圧入することによってカード６と吸盤２３とを固着している。なお、カード６と吸盤２３との固着は圧入によらず接着により行ってもよい。また、カード６は基端部２６ｆの長手方向の両端部２６ｇが両脚片よりも突出させてあり、枠体２１の要所に段差部を設けることにより、該突出した部分（つまり、両端部２６ｇ）を、枠体２１に対するカード６の移動範囲を規制するためのストッパとして機能させている。
【００６０】
本実施形態では、カード６及び枠体２１を熱硬化材料により形成し、吸盤２３を塩化ビニル、フッ素ゴム、ＣＲ、ＥＰＤＭ、ＮＢＲなどにより形成してある。
本実施形態におけるカード６は、シャフト部２３ｄとカード部２６とを一体形成してあるが、図２５に示すように、略コ字形のカード部２６ａと円柱状のシャフト部２３ｄとを別々に形成し、超音波溶着や接着剤などにより固着するようにしてもよい。また、図２６に示すようにカード部２６の基端部２６ｆの厚みを薄くしてカード部２６に弾性を持たせるようにしてもよい。
【００６１】
なお、図２３及び図２４において実施形態１と同様の構成要素には同一の符号を付してあるので、実施形態１と相違する点についてのみ説明する。
本実施形態では、実施形態１のようにシャフト部２３ｄの内部を通って空気が入り込まないので、その替わりに、図２３に示すように、被吸着体２４の略中央に空気通り穴２４ｃを形成してある。また、本実施形態では、被吸着体２４が素子用ケース２２の後端面に接着されており、被吸着体２４の後面側にはゴムなどよりなる矩形板状の弾性体３７が配設されている。ここに、弾性体３７は、被吸着体２４の空気通り穴２４ｃに対応する部位に空気孔３７ｃが形成され、空気孔３７ｃに空気透過部材３２が圧入されている。
【００６２】
しかして、本実施形態では、被吸着体２４に吸盤２３が吸着した状態では、空気透過部材３２を通る空気が空気通り穴２４ｃを通って吸盤２３の吸着部２３ｂと被吸着体２４との間の内部空間に入り込むようになっている。
ここに、空気透過部材３２として例えば図２７に示すように略円柱状で一端にヘッド部３２ｂを有するような形状にすれば、空気透過部材３２の圧入が容易になるとともに、空気透過部材３２を圧入する際の圧入方向の位置決めが容易になる。また、空気透過部材３２は図２８に示すような角柱状の形状にしてもよく、この場合、空気透過部材３２の形状制御が容易になる。また、図２９に示すように円柱状の空気透過部材３２の外周を熱収縮チューブ３４によりシールして、空気孔３７ｃに配設するようにしてもよい。
【００６３】
（実施形態５）
本実施形態の基本構成及び基本動作は実施形態４と略同じであって、弾性体３７とボディ１０の遅延素子収納部１２の底面との間に、図３０に示すように、クッション部材２８を介在させた点が相違するだけである。クッション部材２８は発泡性材料により形成してあり、外形が略矩形で略中央が開口されている。
【００６４】
なお、実施形態４と同様の構成要素には同一の符号を付し説明を省略する。
ところで、本実施形態では、実施形態４と同様に、弾性体３７に形成された空気孔３７ｃに空気透過部材３２が圧入されているが、図３１に示すように、弾性体３７の被吸着体２４と接触する面と反対側の面に板状の空気透過部材３２を押圧するようにしてもよい。また、図３２に示すように、金属製（ＳＵＳ製）の被吸着体２４と弾性体３７（ゴム）とを一体成形して、空気透過部材３２を圧入するようにしてもよいし、図３３に示すように、被吸着体２４に空気通り穴２４ｃに連通する凹所２４ｄを後面側に形成し、該凹所２４ｄに空気透過部材３２を接着するようにしてもよい。
【００６５】
（実施形態６）
本実施形態の基本構成及び基本動作は実施形態５と略同じであって、図３４に示すように、弾性体３７の後面側に凹所３７ｄを形成するとともに、クッション部材２８の前面側に空気孔２８ｃに連通する凹所２８ｄを形成し、多孔質ガラスにより形成した空気透過部材３２を弾性体３７とクッション部材２８との間に配設するようにした点が相違するだけである。なお、本実施形態では空気透過部材３２を多孔質ガラスにより形成しているが、多孔質樹脂や非多孔質体（例えば、シリコンゴムなど）により形成してもよい。
【００６６】
（実施形態７）
本実施形態の基本構成及び基本動作は実施形態６と略同じであって、図３５に示すように空気透過部材３２’を弾性体３７とクッション部材２８との間に配設する。ただし、本実施形態における空気透過部材３２’は図３６に示すように、渦巻き形状の空気透過部材３２をシール部材３５によりシールし、シール部材３５の前面側に空気透過部材３２の一端部を露出させる空気導出口３５ａを形成し、シール部材３５の後面側に空気透過部材３２の他端部を露出させる空気導入口３５ｂを形成してある。また、クッション部材２８は空気導入口３５ｂに対応する部位に空気孔２８ｃが形成され、弾性体３７は空気導出口３５ａに対応する部位に空気孔３７ｃが形成されている。
【００６７】
本実施形態では、空気透過部材３２が渦巻き状に形成されているので、空気透過部材３２の長さを長くすることができ、空気透過部材３２を長くすると遅れ時間が長くなるので、遅れ時間を長く設定することが可能となる。
（実施形態８）
本実施形態の基本構成及び基本動作は実施形態４と略同じであり、図３７に示すように、クッション部材２８を中央片２８ａがボディ１０の底面から浮いた状態で配設される板ばねにより構成した点が相違するだけである。なお、クッション部材２８を構成する板ばねの中央片２８ａには弾性体３７の後面側から突設された凸部３７ｂに嵌合する孔が形成されている。
【００６８】
（実施形態９）
本実施形態の基本構成及び基本動作は実施形態４と略同じであって、図３８に示すように復帰ばね２７を略逆Ｕ字形の板ばねにより構成した点が相違するだけである。ここに、板ばねよりなる復帰ばね２７は図３９に示すように略中央に挿通孔２７ａが形成されており、この挿通孔２７ａにカード６のシャフト部２３ｄが挿通されるようになっている。しかして、操作部たるハンドル９０がオン操作（セット操作）された場合には、復帰ばね２７はカード６の基端部２６ｆ（図２４参照）の後面側により吸盤２３ｂの方向へ押される（図３８の下方へ押し下げられる）ので、実施形態４と略同じ動作が得られるのである。
【００６９】
なお、実施形態４と同様の構成要素には同一の符号を付してある。
（実施形態１０）
本実施形態の基本構成及び基本動作は実施形態４と略同じであって、図４０に示すようにカード６のカード部材部２６ｃの先端に接触ばね７０を取り付けるための取付部２６ｈを設け、カード６と接触ばね７０とを連動するようにし、接触ばね７０が復帰ばね２７を兼ねている点が相違するだけである。本実施形態では、別途に復帰ばね２７を設ける必要がなくなるので、部品点数を削減でき、低コスト化を図ることができる。
【００７０】
【発明の効果】
請求項１の発明は、操作部と、操作部のセット操作に連動して移動する吸盤と、該吸盤と共動してスイッチ機構を開閉するカードと、該移動した吸盤を吸着保持する被吸着体と、吸盤が被吸着体から離れる方向に吸盤を付勢する復帰ばねと、スイッチ機構が電気的に接続される端子と、吸盤が被吸着体に吸着した状態において吸盤と被吸着体との間に形成される内部空間へ連通する空気流通経路に配設される空気透過部材と、被吸着体の吸盤が吸着される面と反対の面側に配設されるクッション部材とを備え、操作部によるセット解除操作時には、吸盤の被吸着体への吸着力と復帰ばねのばね力とのバランスにより吸盤が被吸着体から離れるまでに遅れ時間があるので、従来のようなギアが不要となり、従来の遅延ユニットを有する遅れスイッチに比べて構成が簡単で信頼性が高く、低コスト化が図れるとともに、騒音が小さくなるという効果がある。また、空気透過部材を備えていることにより、空気透過部材の材料やサイズを変えることにより遅れ時間を調整することができるという効果がある。また、クッション部材を備えていることにより、吸盤が被吸着体に対して脱着する際の衝撃を和らげることができるという効果がある。また、従来のようなギアが必要ないので、操作部の操作がスムーズになるという効果がある。
【００７１】
請求項２の発明は、請求項１の発明において、吸盤がゴムにより形成されているので、吸盤の低コスト及び小型化が容易になるという効果がある。
請求項３の発明は、請求項１の発明において、吸盤がシリコンゴムにより形成されているので、吸盤の低コスト及び小型化が容易になるという効果がある。
請求項４の発明は、請求項１の発明において、吸盤は被吸着体に吸着する吸着面側が開口された形状であって、内周底面にフラット部が形成されているので、吸盤の被吸着体に吸着する際には吸着面が吸着した後にフラット部が吸着するようにでき、セット操作時に被吸着体に吸着する吸盤の押し込み量が安定し略一定の吸着力を得ることができるから、遅れ時間を略一定にすることができるという効果がある。
【００７２】
請求項５の発明は、請求項１の発明において、吸盤に前記空気流通経路の少なくとも一部が形成され、吸盤内部に前記空気透過部材が配設されているので、別途に透過部材を配設するためのスペースを確保する必要がないという効果がある。
請求項６の発明は、請求項１の発明において、吸盤は、被吸着体と反対方向への吸盤の移動範囲を規制するストッパ部が形成されているので、ストッパ部によって吸盤の移動をストップさせることができるという効果がある。
【００７３】
請求項７の発明は、請求項１の発明において、吸盤は、吸着面以外の部位にパーティングラインが設けられているので、被吸着体と安定した吸着状態を得ることができるという効果がある。
請求項８の発明は、請求項１乃至請求項７の発明において、被吸着体が金属により形成されていることを特徴とし、例えばＳＵＳにより被吸着体を形成した場合には耐蝕性を高めることができるという効果がある。
【００７４】
請求項９の発明は、請求項１乃至請求項８の発明において、被吸着体は、吸盤が吸着される面に低摩擦係数となるようなコーティングがされているので、吸盤が被吸着体から離れる際の摩擦を小さくでき、遅れ時間を安定させることができるという効果がある。
請求項１０の発明は、請求項１乃至請求項７の発明において、被吸着体が樹脂により形成されているので、樹脂の材料を変えることにより遅れ時間を調整することができるという効果がある。
【００７５】
請求項１１の発明は、請求項２乃至請求項１０の発明において、被吸着体は、吸盤が吸着される領域よりも外側に空気通り穴が形成されているので、吸盤の外側に形成される空間の空気を空気通り穴を通して流通させることができるという効果がある。
請求項１２の発明は、請求項１の発明において、前面側に復帰ばねが配置されるとともに後面が開口され少なくとも吸盤及び被吸着体を収納する素子用ケースを備え、素子用ケースと被吸着体とはクッション部材である弾性部材を介して結合されているので、素子用ケースにより吸盤と被吸着体との間に塵や埃などの異物が侵入するのを抑制でき、また、吸盤が被吸着体に対して脱着する際の衝撃を和らげることができるという効果がある。
【００７６】
請求項１３の発明は、請求項１２の発明において、素子用ケースの後面に結合される蓋を備えているので、吸盤、被吸着体、カード、復帰ばね、素子用ケースなどよりなる遅延素子をユニット化することが可能となるという効果がある。
請求項１４の発明は、請求項１の発明において、被吸着体の後面に前記クッション部材が配設されているので、吸盤が被吸着体に対して脱着する際の衝撃を和らげることができるという効果がある。
【００７７】
請求項１５の発明は、請求項１４の発明において、クッション部材はコイルスプリングにより構成されているので、クッション部材の低コスト化を図ることができるという効果がある。
請求項１６の発明は、請求項５の発明において、空気透過部材がセラミック多孔質体により形成されているので、空気透過部材のサイズや孔径を変化させることによって遅れ時間を調整することができるという効果がある。また、非多孔質体に比べて空気の透過係数の温度依存が小さいので、使用環境の温度変化による遅れ時間の変動を小さくでき、遅れ時間を高精度にすることができる。
【００７８】
請求項１７の発明は、請求項５の発明において、空気透過部材がアルミナセラミック多孔質体により形成されているので、空気透過部材のサイズや孔径を変化させることによって遅れ時間を調整することができるという効果がある。また、非多孔質体に比べて空気の透過係数の温度依存が小さいので、使用環境の温度変化による遅れ時間の変動を小さくでき、遅れ時間を高精度にすることができる。
【００７９】
請求項１９の発明は、請求項５の発明において、空気透過部材は端面が面取りされているので、吸盤内部へ空気透過部材を挿入しやすくなるという効果がある。
請求項２０の発明は、請求項５の発明において、空気透過部材は、円柱状に形成されているので、吸盤内部への空気透過部材の圧入が容易になるという効果がある。
【００８０】
請求項２１の発明は、請求項２０の発明において、空気透過部材は外周をゴムチューブによりシールされているので、遅れ時間をより高精度に調整することができるとともに、ゴムチューブにより空気透過部材を保護することができるという効果がある。
請求項２２の発明は、請求項２１の発明において、複数個の空気透過部材を備え、空気透過部材を略直線状に配設したので、空気透過部材の数を増やして空気透過部材の直線距離を長くすることにより遅れ時間を長くすることができ、また、１つの空気透過部材により直線距離を長くする場合に比べて１個の空気透過部材の長さを短くできるので、空気透過部材が破損しにくくなるという効果がある。
【００８１】
請求項２３の発明は、請求項５の発明において、吸盤は、空気透過部材の端面が密着するのを防止するためのテーパ部が形成されているので、空気透過部材の端面に吸盤が密着しないようにすることができ、空気透過部材の端面の断面積によって遅れ時間を高精度に調整できるという効果がある。
請求項２４の発明は、請求項１の発明において、復帰ばねが、コイルスプリングにより構成されているので、復帰ばねを低コスト化することができるという効果がある。
【００８２】
請求項２５の発明は、請求項２４の発明において、コイルスプリングは、端面が研磨されているので、端面での他の部材との接触状態が安定するという効果がある。
請求項２６の発明は、請求項２４の発明において、コイルスプリングが、ＳＵＳにより形成されているので、コイルスプリングの耐蝕性を高めることができるという効果がある。
【００８３】
請求項２７の発明は、請求項１２又は請求項１３の発明において、素子用ケースは、復帰ばねの一端側を受けるばね受け部が形成されているので、素子用ケースにより復帰ばねの一端側を受けることができるという効果がある。
請求項２８の発明は、請求項１の発明において、カードは、復帰ばねの一端側を受ける凹形状のばね受け部が形成されているので、カードにより復帰ばねの一端側を受けることができるという効果がある。
【００８４】
請求項２９の発明は、請求項１の発明において、カードは、少なくとも一部が吸盤と一体成形されているので、組み立て作業が容易になるという効果がある。
請求項３０の発明は、請求項１の発明において、カードは、カード部とシャフト部とで構成され、カード部の形状が略コ字形であって、カード部の両脚片が両脚片をガイドするガイド溝が形成された枠体によりガイドされるので、カードを安定して移動させることができるという効果がある。
【００８５】
請求項３１の発明は、請求項１の発明において、カードが難燃性熱可塑材料により形成されているので、安全性を高めることができるという効果がある。
請求項３２の発明は、請求項１の発明において、カードはカード部とシャフト部とで構成され、カード部とシャフト部とを別部材にしたので、カードの形状制御が容易になるという効果がある。
【００８６】
請求項３３の発明は、請求項３２の発明において、カード部とシャフト部とは熱圧着により固着されているので、カード部とシャフト部とを確実に結合することができるという効果がある。
請求項３４の発明は、請求項１の発明において、カードは、吸盤が被吸着体に吸着した状態において吸盤と被吸着体との間に形成される内部空間へ空気を取り込むための空気取込口が形成されているので、空気取込口の大きさや形状を変えることにより遅れ時間を調整することができるという効果がある。
【００８７】
請求項３５の発明は、請求項３４の発明において、カードは、前記内部空間と空気取込口との間に防塵用のフィルタ部材が装着されているので、吸盤と被吸着体との間に塵や埃などの異物が侵入するのを防ぐことができ、遅れ時間を略一定にすることができるという効果がある。
請求項３６の発明は、請求項１の発明において、操作部のセット操作に連動して回動しカードを移動させるアームを備えているので、セット操作による力をアームを介してカードに伝達でき、カードを安定して駆動することができるという効果がある。
【００８８】
請求項３７の発明は、請求項３６の発明において、操作部には、アームを押圧するアーム押圧部が複数形成されているので、操作部の操作力をより安定してアームに伝達することができるという効果がある。
請求項３８の発明は、請求項３６又は請求項３７の発明において、アームは、操作部のセット操作時に操作部のストローク途中でカードをカードのストローク終端まで押し込むことができる形状に形成されているので、セット操作時に吸盤を被吸着体に確実に略一定の力で吸着させることができるから、遅れ時間を略一定にすることができるという効果がある。
【００８９】
請求項３９の発明は、請求項１の発明において、操作部は、スイッチ機構を開閉するために起伏させる波動式なので、セット解除操作時に遅れ時間がある波動式スイッチを構成することができるという効果がある。
請求項４０の発明は、請求項３６又は請求項３７の発明において、アームはカードを押圧する押圧部が複数形成されているので、より安定してカードを駆動することができるという効果がある。
【図面の簡単な説明】
【図１】実施形態１を示し、（ａ）はオフ状態の平面図、（ｂ）はオフ状態の断面図である。
【図２】同上を示し、（ａ）はオン状態の平面図、（ｂ）はオン状態の断面図、（ｃ）は背面図である。
【図３】同上を示し、オン状態の側断面図である。
【図４】同上の分解斜視図である。
【図５】同上に用いる遅延素子の斜視図である。
【図６】同上に用いる遅延素子の前方側から見た分解斜視図である。
【図７】同上に用いる遅延素子の後方側から見た分解斜視図である。
【図８】同上の要部説明図である。
【図９】同上の他の要部説明図である。
【図１０】同上に用いる空気透過部材の一例を示す斜視図である。
【図１１】同上に用いる空気透過部材の他の一例を示す斜視図である。
【図１２】同上に用いる空気透過部材の別の一例を示す斜視図である。
【図１３】同上の要部断面図である。
【図１４】同上に用いる空気透過部材のまた別の一例を示す正面図である。
【図１５】同上に用いる被吸着体の斜視図である。
【図１６】同上に用いるアームを示し、（ａ）は平面図、（ｂ）は正面図である。
【図１７】同上の動作説明図である。
【図１８】同上に用いるアームの一例を示し、（ａ）は平面図、（ｂ）は正面図である。
【図１９】実施形態２を示し、（ａ）はオフ状態の平面図、（ｂ）はオフ状態の断面図である。
【図２０】同上を示し、（ａ）はオン状態の平面図、（ｂ）はオン状態の断面図、（ｃ）は背面図である。
【図２１】同上を示し、オン状態の側断面図である。
【図２２】実施形態３を示し、オフ状態の要部断面図である。
【図２３】実施形態４を示すし、オフ状態の断面図である。
【図２４】同上に用いるカードの一例を示し、（ａ）は正面図、（ｂ）は背面図である。
【図２５】同上に用いるカードの一例を示す分解図である。
【図２６】同上に用いるカードの一例を示す正面図である。
【図２７】同上に用いる空気透過部材の一例を示す斜視図である。
【図２８】同上に用いる空気透過部材の他の一例を示す斜視図である。
【図２９】同上に用いる空気透過部材の別の一例を示す斜視図である。
【図３０】実施形態５を示し、オフ状態の断面図である。
【図３１】同上の要部の一例を示す断面図である。
【図３２】同上の要部の他の一例を示す断面図である。
【図３３】同上の要部の別の一例を示す断面図である。
【図３４】実施形態６を示し、オフ状態の要部断面図である。
【図３５】実施形態７を示し、オフ状態の要部断面図である。
【図３６】同上の要部を示し、（ａ）は平面図、（ｂ）は正面図、（ｃ）は背面図である。
【図３７】実施形態８を示し、オフ状態の要部断面図である。
【図３８】実施形態９を示し、オフ状態の要部断面図である。
【図３９】同上の要部斜視図である。
【図４０】実施形態１０を示し、オフ状態の要部断面図である。
【符号の説明】
１  ケース
６  カード
２３  吸盤
２３ｂ  吸着部
２３ｄ  シャフト部
２４  被吸着体
２６  カード部
２６ｃ  カード部材部
２６ｅ  空気取込口
２７  復帰ばね
２８  クッション部材
３２  空気透過部材
６１  鎖錠ばね
６３ａ  端子板
６４ａ  固定接点
６３ｃ  端子板
７０  接触ばね
７２  可動接点
９０  ハンドル
【図１】
0003574886.tif 000002
【図２】
0003574886.tif 000003
【図３】
0003574886.tif 000004
【図４】
0003574886.tif 000005
【図５】
0003574886.tif 000006
【図６】
0003574886.tif 000007
【図７】
0003574886.tif 000008
【図８】
0003574886.tif 000009
【図９】
0003574886.tif 000010
【図１０】
0003574886.tif 000011
【図１１】
0003574886.tif 000012
【図１２】
0003574886.tif 000013
【図１３】
0003574886.tif 000014
【図１４】
0003574886.tif 000015
【図１５】
0003574886.tif 000016
【図１６】
0003574886.tif 000017
【図１７】
0003574886.tif 000018
【図１８】
0003574886.tif 000019
【図１９】
0003574886.tif 000020
【図２０】
0003574886.tif 000021
【図２１】
0003574886.tif 000022
【図２２】
0003574886.tif 000023
【図２３】
0003574886.tif 000024
【図２４】
0003574886.tif 000025
【図２５】
0003574886.tif 000026
【図２６】
0003574886.tif 000027
【図２７】
0003574886.tif 000028
【図２８】
0003574886.tif 000029
【図２９】
0003574886.tif 000030
【図３０】
0003574886.tif 000031
【図３１】
0003574886.tif 000032
【図３２】
0003574886.tif 000033
【図３３】
0003574886.tif 000034
【図３４】
0003574886.tif 000035
【図３５】
0003574886.tif 000036
【図３６】
0003574886.tif 000037
【図３７】
0003574886.tif 000038
【図３８】
0003574886.tif 000039
【図３９】
0003574886.tif 000040
【図４０】
0003574886.tif 000041